(57)【要約】【課題】携帯電話機を電子メール等の視覚によるコミュニケーション手段あるいはインターネット接続による情報収集手段等として使用する際には、使用者は、携帯電話機を片手で把持した状態で当該片手の親指によりボタン操作を行うことがしばしばある。このように、携帯電話機を片手で操作する場合でも、携帯電話機の安定を確保し、ボタン操作を容易ならしめる。【解決手段】携帯電話機を操作するための手段としてのボタン１〜１８を、各ボタン１〜１８の使用頻度により、使用頻度の高いボタンほど該携帯電話機の重心２１に近い位置になるように配設したことを特徴とする携帯電話機。【選択図】図１
2009200789.tif 000002
【特許請求の範囲】
【請求項１】
携帯電話機を操作するための手段としてのボタンを、各ボタンの使用頻度により、使用頻度の高いボタンほど該携帯電話機の重心に近い位置になるように配設したことを特徴とする携帯電話機。
【発明の詳細な説明】
【技術分野】
【０００１】
本発明は、携帯電話機に関するものであり、特に、好ましいボタン（キー）配列を備えた携帯電話機に係るものである。
【背景技術】
【０００２】
携帯電話機は、当該携帯電話を操作するための手段として、文字・数字入力ボタン、決定ボタン、メールボタン、クリアボタン、終了ボタン、電源ボタン等、種々のボタン（キー）を備えている。
【０００３】
携帯電話機におけるボタン配列は、例えば特開２００１−７５７０８号公報に示すように、種々のものが知られている。
【特許文献１】特開２００１−７５７０８号公報
【発明の開示】
【発明が解決しようとする課題】
【０００４】
近年、携帯電話機は、電話という音声によるコミュニケーション手段として使用されるのみならず、電子メール等の視覚によるコミュニケーション手段、あるいはインターネット接続による情報収集手段等としても頻繁に使用されている。
【０００５】
携帯電話機を電子メール等の視覚によるコミュニケーション手段あるいはインターネット接続による情報収集手段等として使用する際には、携帯電話機において頻繁に文字入力が行われる。
【０００６】
携帯電話機を電子メール等の視覚によるコミュニケーション手段あるいはインターネット接続による情報収集手段等として使用する際には、使用者は、携帯電話機を片手で把持した状態で当該片手の親指によりボタン操作を行うことがしばしばある。すなわち、携帯電話機の使用者は、一方の手（片手）で携帯電話機を操作し、他方の手を例えば荷物の把持、電車内での吊革の把持等の目的に使用することもしばしばある。
【０００７】
しかるに、このように携帯電話機を片手で把持した状態で当該片手の親指によりボタン操作を行う場合には、特に携帯電話機の下端部付近のボタンを操作する際に、携帯電話機が不安定になる。けだし、携帯電話機の下端部付近のボタンは、親指からの距離が大きくて届き難いだけでなく、携帯電話機の重心から離れているためである。
【０００８】
この問題は、漢字への変換が要求される日本語文字入力の場合に特に顕著である。
【０００９】
上記従来の携帯電話機におけるボタン配列は、このような問題には全く考慮が払われていない。
【００１０】
本発明は、上記従来の携帯電話機における上述の如き問題を解決し、携帯電話機を片手で把持した状態で当該片手の親指によりボタン操作を行う場合でも、携帯電話機の安定を確保し、ボタン操作を容易ならしめようとしてなされたものである。
【課題を解決するための手段】
【００１１】
上記課題を解決するために、本発明は、下記の携帯電話機を提供するものである。
【００１２】
携帯電話機を操作するための手段としてのボタンを、各ボタンの使用頻度により、使用頻度の高いボタンほど該携帯電話機の重心に近い位置になるように配設したことを特徴とする携帯電話機。
【発明の効果】
【００１３】
本発明によれば、携帯電話機を操作するための手段としてのボタンを、各ボタンの使用頻度により、使用頻度の高いボタンほど該携帯電話機の重心に近い位置になるように配設したため、使用頻度の高いボタンは携帯電話機の重心に近い位置にある。一方、携帯電話機の使用者が片手で該携帯電話機を把持する際には、使用者は当該片手で携帯電話機の重心付近を把持するものである（図３参照）。したがって、使用頻度の高いボタンほど当該片手の親指に近い位置にある。換言すれば、携帯電話機を片手で把持した状態で当該片手の親指によりボタン操作を行う場合でも、親指を動かす距離が全体的に短くなる。その結果、親指によるボタン操作が著しく容易になるだけでなく、片手で把持している携帯電話機が安定する。なお、例えば電子メールを送信する毎に１回のみ使用されるボタンのように使用頻度の低いボタンは、携帯電話機の重心から離れた位置に配設されるのであるが、このようなボタンは携帯電話機を把持していない他方の手の指で操作しても差し支えない。
【発明を実施するための最良の形態】
【００１４】
本発明においては、携帯電話機を操作するための手段としてのボタン１〜１８を、各ボタン１〜１８の使用頻度により、使用頻度の高いボタンほど該携帯電話機の重心２１に近い位置になるように配設する。
【００１５】
図２に示すボタン１〜１８は、使用頻度が高い順に符号が１から１８まで付されている。
【００１６】
図２に示す事例においては、使用頻度が最も高いボタンには符号１が付され、使用頻度第２位のボタンに符号２が付され、使用頻度第３位のボタンに符号３が付されている。すなわち、ボタン１は携帯電話機の重心２１に最も近い位置にあり、ボタン２は携帯電話機の重心２１に対しボタン１に次いで近い位置にあり、ボタン３は携帯電話機の重心２１に対しボタン２に次いで近い位置にある。因みに、ボタン１７、１８は、使用頻度が最も低いものであって、携帯電話機の重心２１の重心から最も離れた位置にある。
【００１７】
各ボタンの使用頻度の高低は、今後の調査結果に基いて判断する必要があるが、携帯電話機の使用者、使用目的、使用態様等に応じて異なるものと思われる。したがって、使用頻度の高いボタンほど携帯電話機の重心２１に近い位置になるように配設するという基準に基くボタン配列は、携帯電話機の使用者、使用目的、使用態様等に応じて複数通りあり得るものであり、携帯電話機の使用者、使用目的、使用態様等に応じて異なるボタン配列を備えた複数通りの携帯電話機を提供することも可能である。
【００１８】
携帯電話機に備えさせるボタンの個数、大きさ、形状等は、図示のものに限定されるものではなく、随意である。
【００１９】
図１における符号２３に示すものはディスプレイである。
【００２０】
本発明における携帯電話機は、折畳式、非折畳式の如何を問わない。
【００２１】
なお、ボタンを携帯電話機の重心に近い位置に配設することにより、携帯電話機における重心から離れた部分をフリースペース２５となし、当該部分を所望の目的に使用することもできる。
【図面の簡単な説明】
【００２２】
【図１】本発明による携帯電話機の一例を示す斜視図である。
【図２】本発明による携帯電話機におけるボタン配列の一例を示す平面図である。
【図３】本発明による携帯電話機の使用状態の一例を示す斜視図である。
【符号の説明】
【００２３】
１  ボタン
２  ボタン
３  ボタン    
４  ボタン
５  ボタン
６  ボタン    
７  ボタン
８  ボタン
９  ボタン    
１０  ボタン
１１  ボタン
１２  ボタン    
１３  ボタン
１４  ボタン
１５  ボタン    
１６  ボタン
１７  ボタン
１８  ボタン
２１  重心
２３  ディスプレイ
２５  フリースペース
【図１】
2009200789.tif 000003
【図２】
2009200789.tif 000004
【図３】
2009200789.tif 000005